(57)【要約】 【課題】既存のフーチングで上部工の荷重を支持しつつ、該既存のフーチングと干渉しない形であらたなフーチングを構築する。【解決手段】本発明に係る鋼製柱とフーチングの接合構造１は、既設フーチング２に既設柱としての既設橋脚８が立設された基礎構造に適用されたものであって、既設フーチング２の上方に全体形状が矩形をなす荷重伝達板３を配置し、該荷重伝達板が埋設される形で既設フーチング２の周囲に新設フーチング４を構築するとともに、該荷重伝達板に新設鋼製柱としての新設橋脚５を立設してある。荷重伝達板３は、その外周縁部が水平面において既設フーチング２の外周縁部を包囲するように、かつ中央近傍に形成された柱貫通開口６の縁部７が、既設橋脚８の基部８ａを取り囲むように既設フーチング２の上方に配置してあり、Ｉ形鋼をそれらの梁高さが全体厚さとなるように格子状に組んで構成してある。【選択図】  図１
2015021259.tif 000002
【特許請求の範囲】
【請求項１】
Ｉ形、Ｈ形等の断面を有しフランジ及びウェブを有する鋼製部材をそれらの梁高さが全体厚さとなるように格子状又は井桁状に組んで構成されてなる荷重伝達板を、その外周縁部が水平面において既設フーチングの外周縁部を包囲するようにかつ中央近傍に形成された柱貫通開口の縁部が前記既設フーチングから立設された既設柱を取り囲み又はその撤去後の領域を包囲するように前記既設フーチングの上方に配置するとともに、前記荷重伝達板が埋設される形で前記既設フーチングの周囲に新設フーチングを構築し、前記荷重伝達板に新設鋼製柱を立設したことを特徴とする鋼製柱とフーチングの接合構造。
【請求項２】
コの字状鉄筋を前記鋼製部材の材軸に直交する面に平行になるようにかつ開き側が下方となるように該鋼製部材に跨設して前記新設フーチング内であって前記既設フーチングの上方に埋設するとともに、該コの字状鉄筋の下端を前記既設フーチングに埋入された差し筋に連結した請求項１記載の鋼製柱とフーチングの接合構造。
【請求項３】
地盤に埋設された既設フーチングを該地盤を掘り下げることによって露出させ、
荷重伝達板を、その外周縁部が水平面において前記既設フーチングの外周縁部を包囲するようにかつ該荷重伝達板の中央近傍に形成された柱貫通開口に前記既設フーチングから立設された既設柱が貫通されるように前記既設フーチングの上方に配置し、
前記荷重伝達板が埋設されるように前記既設フーチングの周囲にコンクリートを打設することで新設フーチングを構築し、
前記荷重伝達板に新設鋼製柱を立設し、
該新設鋼製柱による荷重受替え後、前記既設柱を撤去することを特徴とする鋼製柱とフーチングの接合方法。
【請求項４】
前記荷重伝達板を複数の荷重伝達パネルで構成した請求項３記載の鋼製柱とフーチングの接合方法。
【請求項５】
前記荷重伝達板を、Ｉ形、Ｈ形等の断面を有しフランジ及びウェブを有する鋼製部材をそれらの梁高さが全体厚さとなるように格子状又は井桁状に組んで構成した請求項３又は請求項４記載の鋼製柱とフーチングの接合方法。
【発明の詳細な説明】
【技術分野】
【０００１】
本発明は、鋼製橋脚をはじめとした鋼製柱の下端をフーチングに接合する際に適用される鋼製柱とフーチングの接合構造及びその施工方法に関する。
【背景技術】
【０００２】
都心部においては、数多くの高速道路が高架橋やトンネルの形で建設されているが、社会状況の変動等によって車の流れや交通量もめまぐるしく変化しており、これに対応すべく、高速道路の新規建設が継続的に行われているとともに、道路の拡幅等を内容とした改築も既存の高速道路に対して数多く行われている。
【０００３】
既存の高速道路に対する改築を行うにあたり、高架橋方式の高速道路においては、上部工の支持点を大きく変更することが構造上あるいは費用面で困難な場合があり、かかる場合には、支持点の移動を最小限にとどめるべく、既存の橋脚に近接してあらたな橋脚を立設することになる。
【先行技術文献】
【特許文献】
【０００４】
【特許文献１】特開平０９−１９５２２５号公報
【特許文献２】特開平１０−１２１４１６号公報
【発明の概要】
【発明が解決しようとする課題】
【０００５】
ところが、橋脚同士の離間距離が小さいと、地盤内で新旧のフーチングが干渉することがあり、その場合には、上部工の荷重を受け替えた状態で既存のフーチング及び橋脚を撤去し、しかる後、あらたなフーチングを構築して該フーチングにあらたな鋼製橋脚を立設しなければならないところ、既存のフーチング及び橋脚を撤去してから、その撤去場所にあらたなフーチングを構築する方法だと、上部工の荷重の受替えが長期間にわたって必要になることとも相俟って、建設コストが割高になるのを余儀なくされる。
【０００６】
一方、鋼製橋脚の下端をフーチングに接合するにあたり、アンカーフレームと呼ばれる鋼製フレームをフーチング内に予め埋設しておき、該アンカーフレームから延びるアンカーボルトを用いて鋼製橋脚の下端をアンカーフレームにボルト接合する工法が従来から広く用いられており、これを利用して既存のフーチングを取り込む形であらたなフーチングを構築する工法が提案されている。
【０００７】
しかしながら、特許文献１記載の工法のように、既存のフーチングの側方にアンカーフレームを配置する場合には、該フーチングを取り囲むように複数のアンカーフレームを配置せざるを得ないところ、それらのアンカーフレームを合理的な費用で一体化させることは難しく、結果として十分な接合強度を確保することができないという問題を生じる。
【０００８】
また、特許文献２記載の工法のように、既存のフーチングの上方にアンカーフレームを配置する場合には、あらたなフーチングが露出しない程度に土被りに余裕がある場合でなければ採用自体が難しいという問題を生じる。
【０００９】
そして何より、これらの工法は、既存のフーチングや橋脚を予め撤去することが前提となっているため、既存のフーチングや橋脚を生かしながらあらたなフーチングを構築する場合には適用が困難である。
【課題を解決するための手段】
【００１０】
本発明は、上述した事情を考慮してなされたもので、既存のフーチングで上部工の荷重を支持しつつ、該既存のフーチングと干渉しない形であらたなフーチングを構築可能な鋼製柱とフーチングの接合構造及びその施工方法を提供することを目的とする。
【００１１】
上記目的を達成するため、本発明に係る鋼製柱とフーチングの接合構造は請求項１に記載したように、Ｉ形、Ｈ形等の断面を有しフランジ及びウェブを有する鋼製部材をそれらの梁高さが全体厚さとなるように格子状又は井桁状に組んで構成されてなる荷重伝達板を、その外周縁部が水平面において既設フーチングの外周縁部を包囲するようにかつ中央近傍に形成された柱貫通開口の縁部が前記既設フーチングから立設された既設柱を取り囲み又はその撤去後の領域を包囲するように前記既設フーチングの上方に配置するとともに、前記荷重伝達板が埋設される形で前記既設フーチングの周囲に新設フーチングを構築し、前記荷重伝達板に新設鋼製柱を立設したものである。
【００１２】
また、本発明に係る鋼製柱とフーチングの接合構造は、コの字状鉄筋を前記鋼製部材の材軸に直交する面に平行になるようにかつ開き側が下方となるように該鋼製部材に跨設して前記新設フーチング内であって前記既設フーチングの上方に埋設するとともに、該コの字状鉄筋の下端を前記既設フーチングに埋入された差し筋に連結したものである。
【００１３】
また、本発明に係る鋼製柱とフーチングの接合方法は請求項３に記載したように、地盤に埋設された既設フーチングを該地盤を掘り下げることによって露出させ、    
荷重伝達板を、その外周縁部が水平面において前記既設フーチングの外周縁部を包囲するようにかつ該荷重伝達板の中央近傍に形成された柱貫通開口に前記既設フーチングから立設された既設柱が貫通されるように前記既設フーチングの上方に配置し、
前記荷重伝達板が埋設されるように前記既設フーチングの周囲にコンクリートを打設することで新設フーチングを構築し、
前記荷重伝達板に新設鋼製柱を立設し、
該新設鋼製柱による荷重受替え後、前記既設柱を撤去するものである。
【００１４】
また、本発明に係る鋼製柱とフーチングの接合方法は、前記荷重伝達板を複数の荷重伝達パネルで構成したものである。
【００１５】
また、本発明に係る鋼製柱とフーチングの接合方法は、前記荷重伝達板を、Ｉ形、Ｈ形等の断面を有しフランジ及びウェブを有する鋼製部材をそれらの梁高さが全体厚さとなるように格子状又は井桁状に組んで構成したものである。
【００１６】
第１の発明に係る鋼製柱とフーチングの接合構造においては、荷重伝達板の外周縁部が水平面において既設フーチングの外周縁部を包囲するように、かつ該荷重伝達板の中央近傍に形成された柱貫通開口の縁部が既設フーチングから立設された既設柱を取り囲み又はその撤去後の立設領域を包囲するように、該荷重伝達板を既設フーチングの上方に配置するとともに、荷重伝達板が既設フーチングの周囲に打設されたコンクリートに埋設されるように新設フーチングを構築する。
【００１７】
このようにすると、上部工の荷重を既設柱で支持している間、荷重伝達板は、その柱貫通開口の縁部が既設柱を取り囲む形で既設フーチングの上方に配置されるため、既設フーチング及び既設柱は、荷重伝達板の設置を含む新設フーチングの構築作業から何ら影響を受けることなく、新設鋼製柱による受替えが終了するまで、上部工の荷重を継続的に支持する。
【００１８】
一方、荷重伝達板は、既設フーチングの周囲に打設されたコンクリートに埋設されて新設フーチングの一部となるため、新設フーチングは、荷重伝達板とコンクリートとからなる鋼コンクリート合成フーチングとして機能する一方、新設フーチングは、既設フーチングとも一体化するため、該既設フーチングとともに複合フーチングを構成する。
【００１９】
加えて、荷重伝達板自体が既設フーチングよりも拡張された大きさを有することから、新設鋼製柱から伝達されてきた荷重は、複合フーチング全体に向けて広く分散伝達することとなり、かくして道路拡幅等によって増大した上部工の荷重は、新設鋼製柱を介して下方に伝達された後、これら鋼コンクリート合成フーチング及び複合フーチングによって確実かつ十分な余裕をもって支持され、杭や地盤に伝達される。
【００２０】
ここで、本発明の荷重伝達板は、Ｉ形、Ｈ形等の断面を有しフランジ及びウェブを有する鋼製部材をそれらの梁高さが全体厚さとなるように格子状又は井桁状に組んで構成してあるため、一体性が高く、面外剛性もきわめて高い。
【００２１】
したがって、荷重伝達板を、既設フーチングの平面形状よりも十分に大きく拡張させた場合であっても、該荷重伝達板からの荷重を複合フーチング全体に向けて広く分散伝達させることができる。
【００２２】
具体的に説明すると、新設鋼製柱を介して荷重伝達板に作用する荷重のうち、圧縮荷重は、該荷重伝達板を構成する鋼製部材のフランジ下面がコンクリートに作用して該コンクリートからの支圧によって支持され、地震時水平力は、同じく鋼製部材のウェブがコンクリートに作用して該コンクリートからの支圧によって支持され、引張荷重は、同じく鋼製部材のフランジ上面がコンクリートに作用し該コンクリートからの支圧によって支持される。
【００２３】
ここで、新設フーチングにおける荷重伝達板の上方のコンクリート被り厚さが十分でない場合、引張荷重に対するコンクリートからの支圧だけでは、引張荷重を支持できない場合が生じる。
【００２４】
かかる場合においては、荷重伝達板の上方に格子状の上端筋を配筋することで引張耐力を高めることが可能であるが、コの字状鉄筋を上述した鋼製部材の材軸に直交する面に平行になるようにかつ開き側が下方となるように該鋼製部材に跨設して新設フーチング内であって既設フーチングの上方に埋設するとともに、該コの字状鉄筋の下端を既設フーチングに埋入された差し筋に連結した構成とすることができる。
【００２５】
かかる構成によれば、コの字状鉄筋が既設フーチングの差し筋から反力を受けることにより、十分な引抜き抵抗を発揮するので、引張荷重に対する荷重伝達板ひいては複合フーチングの強度を高めることができる。
【００２６】
なお、第１の発明においては、既設柱が撤去された状態であるかどうかは任意事項であって、上部工の荷重を新設鋼製柱で受け替えた後も既設柱が残置される場合には、荷重伝達板は、その柱貫通開口の縁部が既設フーチングから立設された既設柱を取り囲むように配置された状態となるし、既設柱が撤去される場合には、荷重伝達板は、その柱貫通開口の縁部が、既設柱の撤去後の立設領域を包囲するように配置された状態となる。
【００２７】
第２の発明に係る鋼製柱とフーチングの接合方法においては、まず、地盤に埋設された既設フーチングを該地盤を掘り下げることによって露出させる。
【００２８】
次に、必要に応じて既設フーチングの周囲にて地盤に新設杭を配置した後、荷重伝達板を、その外周縁部が水平面において既設フーチングの外周縁部を包囲するようにかつ該荷重伝達板の中央近傍に形成された柱貫通開口に既設フーチングから立設された既設柱が貫通されるように既設フーチングの上方に配置する。
【００２９】
次に、荷重伝達板が埋設されるように既設フーチングの周囲にコンクリートを打設することで新設フーチングを構築する。
【００３０】
なお、後工程で新設鋼製柱を立設することができるよう、その下端が接合される立ち上がり部を必要に応じて荷重伝達板に設け、コンクリート打設においては、該立ち上がり部をコンクリートの天端から突出させる。
【００３１】
次に、荷重伝達板に新設鋼製柱を立設し、該新設鋼製柱による荷重受替え後、既設柱を撤去する。
【００３２】
このようにすると、上部工の荷重を既設柱及び既設フーチングで継続支持しながら、その荷重支持状態に影響を及ぼすことなくあるいは該荷重支持状態から影響を受けることなく、荷重伝達板が埋設される形で新設フーチングを構築することができるとともに、既設フーチングを生かす形で新設フーチングとともに複合フーチングを構築することができる。
【００３３】
そのため、既存のフーチング及び橋脚を撤去してから、その撤去場所にあらたなフーチングを構築する従来の場合に比べ、高架橋の改築工事に要する工期を大幅に短縮することが可能となる。
【００３４】
荷重伝達板は、既設柱が貫通可能な柱貫通開口が形成されている必要があるが、例えば既設柱を避けながら、現地で組み立てることも可能であり、その場合には、組立後に柱貫通開口が形成されることになる。
【００３５】
ここで、前記荷重伝達板を複数の荷重伝達パネルで構成するようにすれば、複数の荷重伝達パネルを予め工場製作しておき、これらを現地に搬入した後、既設柱の廻りに荷重伝達パネルを配置し、しかる後、それらを相互に接合すれば足りるので、荷重伝達板の設置を短期間に行うことが可能となる。
【００３６】
荷重伝達板は、現地で組み立てるにしろ、複数の荷重伝達パネルの形で工場製作するにしろ、Ｉ形、Ｈ形等の断面を有しフランジ及びウェブを有する鋼製部材をそれらの梁高さが全体厚さとなるように格子状又は井桁状に組んで構成することができる。
【００３７】
上述した第１の発明及び第２の発明において、荷重伝達板は、Ｉ形、Ｈ形等の断面を有しフランジ及びウェブを有する鋼製部材をそれらの梁高さが全体厚さとなるように格子状又は井桁状に組んで構成される限り、具体的な構成は任意であって、Ｉ形鋼、Ｈ形鋼等の形鋼をそれらの梁高さが全体厚さとなるように格子状又は井桁状に組んで構成してもよいし、矩形状の開口が平面二方向に沿って列状に形成された２枚の鋼製平板を上下に対向配置するとともにそれらの間にかつそれらと直交するように帯状の鋼板を格子状又は井桁状に配置した上、該鋼板の上縁と下縁を２枚の鋼製平板の対向面にそれぞれ溶接等で接合するようにしてもよい。この場合、２枚の鋼製平板がそれぞれフランジとなり、帯状の鋼板がウェブとなる。
【図面の簡単な説明】
【００３８】
【図１】本実施形態に係る鋼製柱とフーチングの接合構造１を示した分解斜視図。
【図２】同じく本実施形態に係る鋼製柱とフーチングの接合構造１を示した全体斜視図。
【図３】同じく本実施形態に係る鋼製柱とフーチングの接合構造１を示した全体図であり、(a)は平面図、(b)はＡ−Ａ線方向に沿う鉛直断面図。
【図４】コの字状鉄筋４２の配筋状況を示した図であり、(a)は鉛直断面図、(b)はＢ−Ｂ線方向から見た矢視図。
【図５】本実施形態に係る鋼製柱とフーチングの接合構造１の作用を示した説明図。
【図６】複数の荷重伝達パネル６１ａ〜６１ｆで構成された荷重伝達板６１を示した平面図。
【発明を実施するための形態】
【００３９】
以下、本発明に係る鋼製柱とフーチングの接合構造及びその施工方法の実施の形態について、添付図面を参照して説明する。
【００４０】
図１は、本実施形態に係る鋼製柱とフーチングの接合構造を示した分解斜視図、図２は同じくその全体斜視図、図３は平面図及び鉛直断面図である。これらの図でわかるように、本実施形態に係る鋼製柱とフーチングの接合構造１は、既設フーチング２に既設柱としての既設橋脚８が立設された基礎構造に適用されたものであって、既設フーチング２の上方に全体形状が矩形をなす荷重伝達板３を配置し、該荷重伝達板が埋設される形で既設フーチング２の周囲に新設フーチング４を構築するとともに、該荷重伝達板に新設鋼製柱としての新設橋脚５を立設してある。
【００４１】
既設フーチング２は、地盤１０に打ち込まれた既設杭９にそれらの杭頭にて接合してあり、新設フーチング４は、同じく地盤１０に打ち込まれた新設杭１１にそれらの杭頭にて接合してある。
【００４２】
既設フーチング２は、一例として平面形状が９×１１ｍ程度、新設フーチング４は、一例として平面形状が１５×１２ｍ程度、高さが５ｍ程度の規模となる。
【００４３】
荷重伝達板３は、その外周縁部が水平面において既設フーチング２の外周縁部を包囲するように、かつ中央近傍に形成された柱貫通開口６の縁部７が、既設橋脚８の基部８ａを取り囲むように既設フーチング２の上方に配置してあり、一例として平面形状が１５×１２ｍ程度よりも若干小さく、全体厚さ（高さ）が１ｍ程度の規模となる。
【００４４】
荷重伝達板３は、Ｉ形鋼をそれらの梁高さが全体厚さとなるように格子状に組んで構成してある。
【００４５】
ここで、図４(a)，(b)に示すように、新設フーチング４内であって既設フーチング２の上方には、コの字状鉄筋４２を、荷重伝達板３を構成するＩ形鋼４１の材軸に直交する面に平行になるようにかつ開き側が下方となるように該Ｉ形鋼に跨設して埋設するとともに、その下端を、カプラー４４を介して既設フーチング２に埋入された差し筋４３に連結してある。
【００４６】
本実施形態に係る鋼製柱とフーチングの接合構造１においては、上部工（図示せず）の荷重を既設橋脚８で支持している間、荷重伝達板３は、その柱貫通開口６の縁部７が既設橋脚８の基部８ａを取り囲む形で既設フーチング２の上方に配置されるため、既設フーチング２及び既設橋脚８は、荷重伝達板３の設置を含む新設フーチング２の構築作業から何ら影響を受けることなく、新設橋脚５による受替えが終了するまで、上部工の荷重を継続的に支持する。
【００４７】
一方、荷重伝達板３は、既設フーチング２の周囲に打設されたコンクリートに埋設されて新設フーチング４の一部となるため、新設フーチング４は、荷重伝達板３とコンクリートとからなる鋼コンクリート合成フーチングとして機能する一方、新設フーチング４は、既設フーチング２とも一体化するため、該既設フーチングとともに複合フーチング１２を構成する。
【００４８】
また、荷重伝達板３自体が既設フーチング２よりも拡張された大きさを有し、かつ荷重伝達板３をＩ形鋼４１の梁高さが全体高さとなるようにそれらを格子状に組んで構成してあるために荷重伝達板３の一体性が高く面外剛性もきわめて高いことから、新設橋脚５から伝達されてきた荷重は、複合フーチング１２全体に向けて広く分散伝達する。
【００４９】
すなわち、新設橋脚５を介して荷重伝達板３に作用する荷重のうち、圧縮荷重は図５(a)に示すように、該荷重伝達板を構成するＩ形鋼４１のフランジ下面がコンクリートに作用して該コンクリートからの支圧によって支持される。
【００５０】
また、引張荷重は同図(b)に示すように、同じくＩ形鋼４１のフランジ上面がコンクリートに作用し該コンクリートからの支圧で支持されるとともに、コの字状鉄筋４２を介した既設フーチング２の差し筋４３からの反力によって支持される。
【００５１】
また、地震時水平力は同図(c)に示すように、同じくＩ形鋼４１のウェブがコンクリートに作用して該コンクリートからの支圧によって支持される。
【００５２】
本実施形態に係る鋼製柱とフーチングの接合構造１を構築するには、まず、地盤１０を既設フーチング２の底面位置まで掘り下げることで該地盤に埋設されていた既設フーチング２を露出させるとともに、該既設フーチングの周囲に拡がる掘削底に新設杭１１を打ち込み又は造成する。
【００５３】
次に、荷重伝達板３を、その外周縁部が水平面において既設フーチング２の外周縁部を包囲するようにかつ該荷重伝達板の中央近傍に形成された柱貫通開口６に既設フーチング２から立設された既設橋脚８が貫通されるように既設フーチング２の上方に配置する。
【００５４】
荷重伝達板３は、既設橋脚８を避けるようにしながら、Ｉ形鋼４１を縦横に並べ、これらを溶接やボルトで相互に接合することで格子状に組めばよい。この場合、柱貫通開口６は、荷重伝達板３の現場製作が完了した後に形成されることになる。
【００５５】
荷重伝達板３は、掘削底から支保工を適宜立設することにより、コンクリート打設に備えて水平に仮保持しておけばよい。
【００５６】
次に、荷重伝達板３を構成するＩ形鋼４１にコの字状鉄筋４２を跨設し、該コの字状鉄筋の下端を、既設フーチング２に予め埋入された差し筋４３の突出端部にカプラー４４を介して連結する。
【００５７】
一方、後工程で打設されるコンクリートとの付着が良好になるよう、既設フーチング２の表面に対し、ウォータジェットなどの方法で目荒らし処理を施す。
【００５８】
次に、必要な型枠（図示せず）を建て込んだ後、荷重伝達板３が埋設されるように既設フーチング２の周囲にコンクリートを打設することで、新設フーチング４を構築する。
【００５９】
次に、荷重伝達板３に新設橋脚５を立設する。
【００６０】
ここで、コンクリートが打設された後も該コンクリートの天端から突出するよう、荷重伝達板３に立ち上がり部（図示せず）を溶接等で予め固着しておき、該立ち上がり部に新設橋脚５の下端を接合するようにすればよい。立ち上がり部の部材長は、荷重伝達板３のコンクリート被り厚さを考慮して適宜定める。
【００６１】
次に、上部工の荷重を新設橋脚５で受け替えた後、既設橋脚８を撤去する。既設橋脚８は、適当な高さで切断すればよく、例えばその基部８ａを残す形で撤去すればよい。
【００６２】
以上説明したように、本実施形態に係る鋼製柱とフーチングの接合構造１によれば、上部工の荷重を既設橋脚８で支持している間、荷重伝達板３は、その柱貫通開口６の縁部７が既設橋脚８を取り囲む形で既設フーチング２の上方に配置される。
【００６３】
そのため、既設フーチング２及び既設橋脚８は、荷重伝達板３の設置を含む新設フーチング４の構築作業から何ら影響を受けることなく、新設橋脚５による受替えが終了するまで、上部工の荷重を継続的に支持することができる。
【００６４】
また、本実施形態に係る鋼製柱とフーチングの接合構造１によれば、新設フーチング４が、荷重伝達板３を鉄筋コンクリートに埋設した鋼コンクリート合成フーチングとなるため、一般的な鉄筋コンクリートフーチングよりも剛性や耐力に優れたフーチングとなるとともに、新設フーチング４は、既設フーチング２と一体化して複合フーチング１２を構成するため、既設フーチング２を生かした合理的な耐力向上が可能となる。
【００６５】
また、本実施形態に係る鋼製柱とフーチングの接合構造１によれば、Ｉ形鋼４１を格子状に組んで荷重伝達板３を構成することにより、全体厚さが小さくても面外剛性に優れた構造体とすることができるので、既設フーチング２の上方に配置しても複合フーチング１２の全高を抑えることが可能となり、土被りに余裕がない状況であっても適用が可能であるとともに、荷重伝達板３をその高い面外剛性を生かして既設フーチング２よりも拡張された大きさで構築することができるので、新設橋脚５から伝達されてきた荷重を分散された状態でかつ確実に複合フーチング１２に伝達することが可能となる。
【００６６】
そのため、複合フーチング１２を、全高を抑えた状態で、しかも新設杭１１の配置領域に合わせて自由な平面形状で構築することが可能となり、現場のさまざまな制約に柔軟に対応することが可能となる。
【００６７】
また、本実施形態に係る鋼製柱とフーチングの接合構造１によれば、Ｉ形鋼４１を格子状に組んで荷重伝達板３を構成するようにしたので、コンクリートによる支圧で圧縮荷重に抵抗しあるいはアンカーボルトを介して引張荷重に抵抗する機能しか持たない従来のアンカーフレームとは異なり、地震時水平力を受けた場合、該水平力は、Ｉ形鋼４１のウェブがコンクリートに作用して該コンクリートからの支圧によって支持されるため、耐震性に優れた接合構造を実現することが可能となる。
【００６８】
ちなみに、荷重伝達板３は、荷重伝達機能を有するだけではなく、Ｉ形鋼４１によって新設フーチング２内の断面力を支持する構造部材としても機能する。
【００６９】
また、本実施形態に係る鋼製柱とフーチングの接合構造１によれば、新設フーチング４内であって既設フーチング２の上方には、コの字状鉄筋４２をＩ形鋼４１に跨設した状態で埋設し、その下端をカプラー４４を介して既設フーチング２に埋入された差し筋４３に連結したので、コの字状鉄筋４２が既設フーチング２の差し筋４３から反力を受けることにより、十分な引抜き抵抗を発揮することとなり、かくして引抜き荷重あるいは曲げ荷重に対する荷重伝達板３の強度、ひいては複合フーチング１２の強度を高めることができる。
【００７０】
また、本実施形態に係る鋼製柱とフーチングの接合方法によれば、上部工の荷重を既設橋脚８及び既設フーチング２で継続支持しながら、その荷重支持状態に影響を及ぼすことなくあるいは該荷重支持状態から影響を受けることなく、荷重伝達板３が埋設される形で新設フーチング４を構築することができるとともに、既設フーチング２を生かす形で新設フーチング４とともに複合フーチング１２を構築することができる。
【００７１】
そのため、既存のフーチング及び橋脚を撤去してから、その撤去場所にあらたなフーチングを構築する従来の場合に比べ、高架橋の改築工事に要する工期を大幅に短縮することが可能となる。
【００７２】
本実施形態では、本発明の荷重伝達板を、Ｉ形鋼をそれらの梁高さが全体厚さとなるように格子状に組んで構成した荷重伝達板３で構成したが、Ｉ形鋼に代えて、Ｈ形鋼その他の形鋼で鋼製してもよいし、さらには、このようなフランジやウェブが当初から含まれた既製の形鋼を用いるのではなく、フランジやウェブが形成されるように、所定の鋼材を現地で組み立てるようにしてもかまわない。
【００７３】
例えば、矩形状の開口が平面二方向に沿って列状に形成された２枚の鋼製平板を上下に対向配置するとともに、それらの間にかつそれらと直交するように帯状の鋼板を格子状又は井桁状に配置した上、該鋼板の上縁と下縁を２枚の鋼製平板の対向面にそれぞれ溶接等で接合するようにしてもよい。この場合、２枚の鋼製平板がそれぞれフランジとなり、帯状の鋼板がウェブとなる。
【００７４】
なお、かかる変形例で組み上げられた荷重伝達板は、組立後は荷重伝達板３と概ね同様の構成となるため、図面を用いた説明は省略する。
【００７５】
また、本実施形態では、コの字状鉄筋４２をカプラー４４を介して既設フーチング２に埋入された差し筋４３に連結するようにしたが、このような機械継手に代えて、溶接によって連結することはもちろん可能である。
【００７６】
また、本実施形態では、地盤１０に新設杭１１に打ち込んでその頭部を新設フーチング４に接合するようにしたが、場合によっては新設杭１１を省略するようにしてもかまわない。
【００７７】
また、本実施形態では、Ｉ形鋼４１を現場で格子状に組み上げることで荷重伝達板３を製作するようにしたが、これに代えて、図６に示すように、複数の荷重伝達パネル６１ａ〜６１ｆからなる荷重伝達板６１で本発明の荷重伝達板を構成するようにしてもよい。
【００７８】
かかる構成によれば、複数の荷重伝達パネル６１ａ〜６１ｆを予め工場製作しておき、これらを現地に搬入した後、既設橋脚８の廻りに荷重伝達パネル６１ａ〜６１ｆを配置し、しかる後、それらを相互に接合して荷重伝達板６１とすれば足りるので、荷重伝達板の設置を短期間に行うことが可能となる。ちなみに、この場合も、柱貫通開口６は、荷重伝達板６１の現場製作が完了した後に形成される。
【００７９】
また、本実施形態では、既設柱である既設橋脚８が内部空間に取り込まれるようにして新設鋼製柱である新設橋脚５を荷重伝達板３に立設したが、本発明の新設鋼製柱は、荷重伝達板の任意の場所に立設することが可能であって、例えば既設柱の一方の側に立設するようにしてもよいし、既設柱を挟み込むようにその両側に配置された一対の鋼製柱で構成することも可能である。
【００８０】
また、本実施形態では、既設柱、新設鋼製柱をそれぞれ既設橋脚、新設橋脚としたが、本発明は、橋脚以外の任意の柱部材に適用することが可能である。
【符号の説明】
【００８１】
１            鋼製柱とフーチングの接合構造
２，６１      既設フーチング
３            荷重伝達板
４            新設フーチング
５            新設橋脚（新設鋼製柱）
６            柱貫通開口
７            縁部
８            既設橋脚（既設柱）
９            既設杭
１０            地盤
４１            Ｉ形鋼（鋼製部材）
４２            コの字状鉄筋
４３            差し筋
４４            カプラー
６１ａ〜６１ｆ  荷重伝達パネル
【図１】
2015021259.tif 000003
【図２】
2015021259.tif 000004
【図３】
2015021259.tif 000005
【図４】
2015021259.tif 000006
【図５】
2015021259.tif 000007
【図６】
2015021259.tif 000008